(57)【特許請求の範囲】
【請求項１】
空調設備を制御する空調制御システムにおいて、
空調設備の状態と環境状態とから、前記空調設備の稼動を必要とする度合いを表すモデルを学習する設備稼働必要度学習手段と、
学習された前記モデルの妥当性を評価する学習モデル妥当性評価手段と、
学習された前記モデルを用いて、前記環境状態から前記空調設備の稼動を必要とする前記度合いを推測する設備稼働必要度評価手段と、
推測された前記度合いと前記妥当性を入力して前記空調設備の制御内容を決定する制御内容決定手段と、
を有し、
前記モデルは時間帯ごとに用意され、
前記制御内容決定手段は、前記度合いが所定の閾値よりも低いときには、前記度合いが低いほど前記空調設備の停止頻度が高くなるような所定の頻度で前記空調設備を停止するとともに、前記度合いが所定の閾値よりも低く、かつ前記妥当性が所定の閾値よりも低いときには、前記妥当性が所定の閾値よりも高い場合に比べて前記空調設備の停止頻度がさらに高くなるように前記所定の頻度を調整することを特徴とする空調制御システム。
【請求項２】
請求項１において、前記モデルとして多項ロジットの累積分布関数を用いることを特徴とする空調制御システム。
【請求項３】
請求項２において、前記学習モデル妥当性評価手段は、多項ロジットの前記累積分布関数の尤度によって前記モデルの妥当性を評価することを特徴とする空調制御システム。
【請求項４】
請求項１において、前記モデルとして重回帰曲線を用いることを特徴とする空調制御システム。
【請求項５】
請求項４において、前記学習モデル妥当性評価手段は、前記重回帰曲線の決定係数によって前記モデルの妥当性を評価することを特徴とする空調制御システム。
【請求項６】
請求項１，請求項２及び請求項４のいずれか１項において、前記学習モデル妥当性評価手段は、環境状態の分散によって前記モデルの妥当性を評価することを特徴とする空調制御システム。
【請求項７】
請求項１ないし６のいずれか１項において、さらに、推測された前記度合いを表示する表示手段を備えることを特徴とする空調制御システム。
【請求項８】
請求項７において、前記表示手段は、推測された前記度合いの時間的履歴を表示することを特徴とする空調制御システム。
【請求項９】
請求項７において、前記表示手段は、推測された前記度合いを時系列で表示することを特徴とする空調制御システム。
【発明の詳細な説明】
【技術分野】
【０００１】
本発明は、空調設備を制御する空調制御システムに関する。
【背景技術】
【０００２】
建物の省エネルギーでは、無人時などの無駄な設備稼働を抑えることが重要である。特許文献１の室別空調制御装置では、センサで人間の在不在を把握し、在室時や近い将来に在室が予測されるときには、在室時に利用者が設定してシステムが学習している設定温度を再現し、不在時でかつ近い将来に在室が予測されないときには、エネルギー消費の少ない設定温度としている。
【０００３】
また、特許文献２の空気調和機制御装置では、設備運転に対する利用者の操作と、その時の環境状態（時刻や室温など）とを一緒に学習し、ある環境状態において利用者が期待する操作を自動的に行う。これにより、ユーザのオフ操作を学習して、設備稼働を止めることなどができる。
【０００４】
【特許文献１】特許第３５９８７６９号公報
【特許文献２】特許第２６７３３９４号公報
【発明の開示】
【発明が解決しようとする課題】
【０００５】
特許文献１の室別空調制御装置のようにセンサを必要とする場合、温度センサなどの他に、さらに人間の在不在を感知するセンサを設置する必要が有る。また、特許文献２の空気調和機制御装置のようにユーザ操作を学習する場合、ユーザが積極的に省エネルギーとなる操作を行わないと、それを学習して再現することができず、省エネルギー効果が小さくなる。
【０００６】
本発明は、上記のような課題を考慮してなされたものであり、空調設備を学習制御により効果的に省エネルギー制御する空調制御システムを提供することを目的とする。
【課題を解決するための手段】
【０００７】
本発明による空調制御システムは、空調設備の状態と環境状態とから空調設備の稼動を必要とする度合い（空調必要度）を表すモデルを学習し、学習したモデルを用いて空調必要度を推測すると共に、学習モデルの妥当性を評価する。そして、空調必要度と学習モデルの妥当性とから、空調設備の制御内容が決定される。
【発明の効果】
【０００８】
本発明によれば、特殊なセンサを用いなくても、利用者の快適性や利便性を損なわずに、空調機を効果的に省エネルギー制御することができる。
【発明を実施するための最良の形態】
【０００９】
図１は本発明の１実施例である空調制御システムの機能ブロック図を示す。設備状態取得手段１００から得られる空調設備の状態（出力量（例えば、消費電力など），オン・オフ，各種設定値など）と、環境計測手段１１０によって得られる環境状態の計測値（室温，室内湿度，外気温度など）から、設備稼働必要度学習手段１２０は、ある環境にて建物利用者が空調設備の稼動を必要とする度合い（以下「空調必要度」と記す）を学習する。また、学習モデル妥当性評価手段１３０は、設備稼働必要度学習手段１２０の学習モデルの妥当性、すなわち利用者が実際に必要としている程度をどのくらい正確に表現しているかを評価する。設備稼働必要度評価手段１４０は、環境計測手段１１０の計測値と設備稼働必要度学習手段１２０の学習モデルとから、各時点のそのときの空調必要度を評価（推測）する。制御内容決定手段１５０は、設備稼働必要度評価手段１４０による空調必要度評価（推測）値と、学習モデル妥当性評価手段１３０による学習モデル妥当性評価値とを入力として、空調設備に対する制御内容を決定する。制御内容決定手段１５０が決定した制御内容は、設備制御実施手段１７０により設備運転に反映されると共に、制御内容表示手段１６０により利用者に表示される。
【００１０】
ここで、設備状態取得手段１００としては消費電力やオン・オフを検出するための電圧または電流検出装置などが適用でき、環境計測手段１１０としては温度センサなどが適用できる。設備稼働必要度学習手段１２０，学習モデル妥当性評価手段１３０，設備稼働必要度評価手段１４０及び制御内容決定手段１５０としては、後述する空調機コントローラ
（図２，２６０），中央監視装置（図６，６００）やセンターサーバ（図８，８００）が適用でき、これらが備えるＣＰＵやＭＰＵなどの演算処理装置などが各手段の機能を有する。設備制御実施手段１７０としては、例えば、制御内容決定手段と空調室内外機との間の通信装置（サーバ，ルータ，コントローラ等）やネットワークが適用できる。制御内容表示手段１６０は利用者に設備運転の設定変更を促すことで、制御内容決定手段１５０による制御内容は設備に反映される。
【００１１】
制御内容決定手段１５０が学習モデル妥当性評価手段１３０による学習モデル妥当性評価値を利用することで、直接計測してはいない在室状態を制御内容に加味することができる。このことは、設備稼働必要度評価手段１４０が空調必要度の評価に学習モデル妥当性評価値を利用する場合でも同じである。
【００１２】
図２は、図１の実施例のシステム構成例を示す。建物利用者が執務などをする建物の一区域２００にて、空調室内機２１０ａ〜２１０ｎがあり、空調室外機２２０とは冷媒管
２３０並びに空調制御ネットワーク２４０で接続されている。また、区域２００内には空調機リモコン２５０ａ〜２５０ｍがあり、空調制御ネットワーク２４０に接続され、空調機の運用状況（オン・オフ，設定温度等）を表示する一方、建物利用者が空調機の運用
（発停や設定温度など）を変更できるようになっている。
【００１３】
空調制御ネットワーク２４０には空調機コントローラ２６０が接続され、空調機の監視制御を行っている。空調機コントローラ２６０は空調室内機２１０ａ〜２１０ｎそれぞれに対し、推測される空調必要度に応じて制御を行う。
【００１４】
図３は、本実施例の空調制御方法を示すフローチャートである。空調機コントローラ
２６０がこの処理を行う機能を有する。
【００１５】
ステップ３１０はデータ初期化であり、空調必要度モデルの学習に必要なデータ領域を確保し、空調必要度モデルのパラメタ初期値を用意する。ステップ３２０では以降の処理の実行可能性を判断し、可能である場合にはステップ３２５に進み、不可である場合にはステップ３９０にて処理を終了する。処理の実行可能性の判定基準は、予め設定された実行期間内にあるか否か、システム異常の有無などが該当する。
【００１６】
ステップ３２５からステップ３８５までは、区域２００にある空調室内機２１０ａ〜
２１０ｎのうち、制御対象として設定された機器それぞれについて順に行う。
【００１７】
ステップ３３０では、空調必要度モデルを更新（学習）する。空調必要度モデルは、空調機ごと・時間帯ごとに用意される。ただし、空調室内機の監視制御が１台ずつではなく複数台纏めて行える場合には、複数台に１つのモデルでもよい。空調必要度モデルの更新は、対象空調機の各時点における設備状態（オン・オフなど）と、そのときの環境状態計測値（室温や外気温度など）とを１つのデータセットとして、前回の更新から今回の更新までに新たに得られたデータセットを入力として、場合によっては前回更新以前のデータセットも用いて、モデルのパラメタを計算し直すことである。室温は専用センサを用意してもよいが、空調室内機の吸込温度で代用可能である。外気温度は空調室外機で計測している。更新に失敗する場合には、モデルのパラメタは更新前の値のままとする。連続して複数回更新に失敗する間は、対象空調機の制御を不可としても良い。
【００１８】
ステップ３３５では、ステップ３３０にて更新された空調必要度モデルの妥当性を定量的に評価し、評価値として算出する。
【００１９】
ステップ３４０では、ステップ３３０にて更新された空調必要度学習モデルを用いて、環境計測値の現在値を入力とし、空調必要度の推測値を計算する。
【００２０】
ステップ３５０では、ステップ３３５にて求めた学習モデル妥当性評価値、およびステップ３４０にて求めた空調必要度推測値を入力として、制御内容を決定する。制御内容としては、起動停止や設定温度変更，風量変更などが該当する。制御内容決定の入力としては他に、対象空調機の現時点の状態や、環境状態の計測値の現在値などを併用しても良い。例えば、すでに制御内容と同じ状態ならば制御実行しない，外気温度が指定の範囲外ならば制御しない、などが考えられる。
【００２１】
ステップ３６０では、ステップ３５０で決定した制御内容を、制御が無い場合も含め、表示する。制御内容の表示には、推測した空調必要度など、制御内容決定までに利用した情報を含む。ステップ３７０では、ステップ３５０にて制御が生じた場合にはステップ
３８０へ、無い場合にはステップ３８５に進む。
【００２２】
ステップ３８０では、対象空調室内機へ制御指令を発し、ステップ３５０で決定した制御内容を実行に移す。制御結果はログに残し、ステップ３６０で表示した制御内容と共に表示しても良い。
【００２３】
図４は、本実施例の設備稼働必要度学習手段１２０及びステップ３３０で用いる空調必要度モデルの説明図である。グラフ４００は、ある空調室内機のある時間帯における、稼動状態観測結果を示している。夏季冷房時に、一定期間（例えば１ヶ月）周期的（例えば１５分ごと）に稼動状態、ここではオン・オフを観測すると、オン時点は室温・外気温度とも高めの領域４１０に、オフ時点は室温・外気温度とも低めの領域４２０に集中する傾向が見られる。冬季暖房時には領域４１０と領域４２０が逆になる。
【００２４】
このような傾向があるため、ある空調室内機のある時間帯の稼動（オン・オフ）状態観測データについて、グラフ４５０のように、オン状態である確率を示す累積分布関数を当てはめることができる。点４６０が稼動状態観測データ（オンが１、オフが０）、曲線
４７０が当てはめた関数（以降「オン確率関数」と呼ぶ）である。曲線４７０では、オン確率関数の当てはめとして多項ロジット分析を適用している。多項ロジットの累積分布関数は（１）である。このオン確率関数から、環境計測値（室温・外気温度）の現在値を入力として計算される値を、建物利用者の空調必要度とみなす。
【００２５】
【数１】
0004661640.tif 000002
【００２６】
式（１）において、ｙはオン確率を示し、Ｘｉ（ｉ＝１，２，…）は説明変数（室温，外気温度など）を示し、ａは定数項を示し、ｂｉ（ｉ＝１，２，…）は係数を示す。ステップ３３０での空調必要度モデル更新とは、このオン確率関数（１）のパラメタａ及び
ｂｉを過去の稼動状態観測データから求めることである。多項ロジット分析では、最尤法によりパラメタを求めることができる。オン確率関数学習の入力は、空調機の稼動状態としてオン・オフ（オンが１，オフが０）を目的変数に、環境計測値として室温と外気温度を説明変数に用いる。時間帯の区切りは、１時間ごとなどとする。
【００２７】
しかしながら、グラフ４００のようにオン時点領域とオフ時点領域とが明確に分離する場合と、そうでない場合がある。標準的なケースでは、比較的明確に分離するのは昼間、分離が不明瞭で重なってくるのは朝の出勤時，夜の退勤時となる。両領域の分離が明確であるほど、オン確率関数の当てはまりは良くなる。多項ロジット分析でこの当てはまり度に相当するのが、関数（１）の尤度である。関数の当てはまり度は、関数がどれだけ実態と合っているかの妥当性を示しているともいえる。すなわち、尤度が低いと妥当性が低いと評価される。本実施例の学習モデル妥当性評価手段１３０及びステップ３３５では、この尤度を用いて、設備稼働必要度学習手段１２０及びステップ３３０で学習された、前式（１）によるモデルの妥当性を評価する。
【００２８】
ここで、観測データＳ（Ｘ１，…，Ｘｎのセット）がある場合、事象Ｘｉの起きる確率をｆ（Ｘｉ，θ）、但しθは未知のパラメータであって前記関数（１）ではａ，ｂｉ、とすると、尤度（Ｓの起こり易さ）は次式（２）で表すことができる。
【００２９】
【数２】
0004661640.tif 000003
【００３０】
また、次式（３）のように対数尤度を用いても良い。
【００３１】
【数３】
0004661640.tif 000004
【００３２】
両領域の分離が不明瞭になり、尤度が低下する主要因は、その時間帯の在室状態にバラツキがあることと考えられる。夏季冷房時で室温・外気温度ともに高くても、不在ならばオフが観測され、オン時点領域と重なるからである。つまり、尤度が低い時間帯では、時によって建物利用者が不在か、尤度が高い時間帯より少数である可能性があり（全く無人の時間帯では、ロジット分析は失敗し、オン確率は０となる）、建物利用者が不在か少数であれば、空調必要度は実際より高めに算出されている可能性が高い。
【００３３】
この尤度と在室状態，空調必要度との関係を、制御内容決定に利用する。すなわち、空調必要度が低いときに空調室内機の稼動を、停止や出力低下により抑え、尤度が低いときにはさらに停止・出力低下頻度や出力低下幅を強める。例えば、空調必要度が閾値ｓ１以下であり、かつ尤度が閾値ｓ２以上の場合に、（１−空調必要度）に係数ｒ１を乗じた頻度で空調室内機をオフする。尤度が閾値ｓ２以下の場合には、係数ｒ１をｒ２（＞１）倍する。外部から閾値ｓ１，ｓ２や係数ｒ１，ｒ２を変更すれば、エネルギー消費量を調節することが可能となる。
【００３４】
ただし、同じ尤度が低い時間帯でも、朝の出勤時など時間の経過と共に空調機がより多く使用される時間では、建物利用者の操作が検知された空調機には一定時間制御を行わないようにしたり、ある空調機の一定期間の過去データから計算されるオン時点割合（＝オン時点数／全時点数）が上昇していく時間帯ではその空調機に制御を行わないようにしたりすることが好ましい。これにより、空調機が多く利用される時間帯においては、尤度が低くても、建物利用者の利便性・快適性を損なわれることが無い。
【００３５】
上記では、尤度を、学習モデル妥当性評価値として用いたが、空調必要度を計算するときに用いても良い。例えば、尤度が閾値ｓ３以下のときに、オン確率関数の計算値に係数ｒ３（＜１）を乗じて低く見積もった値を空調必要度とし、この必要度により制御内容を決定しても良い。
【００３６】
なお、空調必要度の関数の妥当性判断においては、尤度の代わりに、外気温や室温などの環境状態の観測データについてオン時点・オフ時点でそれぞれ分散を計算し、両分散の和や加重平均値が大きいときに妥当性が低いと判断してもよい。
【００３７】
本実施例においては、空調機への制御内容としてオフ制御を取り上げたが、このほか間欠運転や風量減少，送風モードの切り替えなどでも良い。例えば昼間は風量減少、夜間は停止などのように、時間帯ごとに制御内容を設定してもよい。室内機ではなく、室外機の発停や出力を制御対象としてもよい。
【００３８】
また、消費エネルギーを抑える制御だけではなく、推測した空調必要度が高い場合には空調機を起動するように、建物利用者の利便性を高める制御を行っても良い。この場合には、空調必要度関数の妥当性の指標（尤度など）が高いときにより高い頻度で制御を実施する。
【００３９】
オン確率関数すなわち空調必要度の関数としては、多項ロジットの他にも、重回帰曲線を適用して０以下を０，１以上を１と修正するなど、オン状態の確率を連続数値で表現できる関数であれば良い。重回帰曲線の場合には、妥当性の指標として決定係数を用いることができる。また、決定係数の代わりに、上述した、環境状態の分散によって妥当性を判定しても良い。
【００４０】
扱う空調機状態がオン・オフのような２値ではなく、風量のように多値や、出力量のように連続値である場合には、空調必要度を示す関数もその状態値を扱えるものにする。例えば室外機の出力量を扱う場合に、出力量に関係のある入力量を消費電流値などで計測して目的変数とし、空調必要度モデルの関数としてロジスティック回帰を適用し、非線形最小二乗であてはめる。ロジスティック関数で得られる値は最大入力値で除して［０−１］として扱う。
【００４１】
図５は制御内容を含む空調機運用状態の表示例である。空調機コントローラ２６０が空調機リモコン２５０ａ〜２５０ｍに表示させる。空調機リモコンの表示・操作面５００に、対応する空調機についての発停や設定温度変更などの操作ボタンや、液晶画面などで構成される空調機状態表示領域５１０がある。空調機のオン・オフ状態は、オン・オフ表示ボタン５２０の点灯・消灯で示す。空調必要度表示５３０では、現在の空調必要度推定値が表示されており、建物の利用者や管理者らが本実施例による空調制御の様子を知ることができる。空調必要度はわかりやすいように、％単位に変換されている。また、空調必要度が低いときに空調機に対して制御を掛けた後の状態が続いているとき、例えばオフ制御を掛けて依然停止している間は、その旨が省エネ制御実施表示５４０のように表示され、現在の空調機状態が本実施例の省エネルギー制御によるものであることが表示される。
【００４２】
本システムから制御を掛けた後の設備稼働状態は、新たな空調必要度学習用データとなる。例えば制御として空調室内機を停止した後、ユーザが空調停止をそのままにすれば空調必要度は下がり、起動し直せば空調必要度は上がる。
【００４３】
ユーザ操作と設備稼働状態とは密接な関係にある。ユーザ操作の結果として設備稼働状態があり、設備稼働状態の変化からユーザ操作を知ることができる。これに対し、ユーザ操作を学習対象とする場合には、ユーザ操作が無いと学習が難しくなるため、空調必要度が実際よりも高く推測されたり、学習が進むのが遅くなったりするなどの現象が生じる。従って、設備稼働状態を学習対象とする方が好ましい。
【００４４】
本実施例によれば、空調コントローラを空調制御ネットワークに接続するだけで、空調必要度に基づく省エネルギー制御が可能となり、工事が簡単で安価となり、既存ビルの既設空調設備にも省エネルギー制御を導入しやすくなる。
【００４５】
図６に本発明の第２の実施例となる空調制御システムを示す。ＢＡ（Building 
Automation）の中央監視装置６００が建物内にあり、ＢＡネットワーク６１０と接続している。ＢＡネットワーク６１０にはフィールドコントローラ６２０が接続しており、フィールドコントローラ６２０は空調機コントローラ２６０から空調機状態の情報を取得して中央監視装置６００へ送り、また中央監視装置６００から送られる制御指令を、空調機コントローラ２６０を介して空調機に反映させる。
【００４６】
このシステムでは、図３の空調制御方法を中央監視装置６００が実行する。基本的な処理は実施例１と同様だが、中央監視装置６００の処理・記憶能力を活用し、幾つかの点で制御方法が異なる。
【００４７】
空調必要度モデルを構築するための過去の空調機状態および環境計測データは、検知したユーザ操作などと共に、中央監視装置６００内のデータベース（ＤＢ）に記録しておく。１日１回ＤＢからデータを引き出して、各時間帯・空調機の空調必要度モデルを更新し、空調必要度モデルのパラメタをＤＢに記録しておく。各時間帯で現在の空調必要度を計算する際には、ＤＢから対象時間帯・空調機のパラメタを検索して利用する。各時間帯で計算した空調必要度もＤＢに記録しておく。
【００４８】
制御内容の表示は、実施例１と同じく壁などに設置された空調機リモコン２５０ａ〜
２５０ｍにて行うほか、中央監視装置６００に空調機状態表示領域５１０（図５）や図７のような表示をすることができる。属性表示７００には、ユーザが表示対象として画面上で選択した日付や空調機の名称が表示されている。空調機状態履歴表示７１０には、１日の空調機状態の記録が表示されており、ここで扱う項目はオン・オフ状態である。制御・操作履歴表示７２０には、空調機状態を変えた制御や操作の記録が、リモコン操作によるものか、中央監視装置での操作によるものか、本実施例の空調必要度に基づく制御であるかの区別がつくように表示されている。空調必要度履歴グラフ７３０には１日の空調必要度計算値が時系列で表示され、空調機状態や制御・操作の履歴と並べて見ることができる。グラフ詳細は凡例７５０にある。
【００４９】
このような空調機ごとの情報を複数台分並べて表示しても良いし、稼動台数合計や平均空調必要度を時系列で表示するなど、複数台分の情報を１つに纏めて表示しても良い。
【００５０】
空調機コントローラ２６０からは空調必要度に基づく制御を、装置制約や運用制約上行えない場合、中央監視装置に空調必要度表示５３０（図５）と共に、「空調の必要性が少ないので停止して下さい」などの操作要求を管理員に促し、省エネルギーを図ることもできる。操作要求は、操作が行われたり、空調必要度が変化したりして必要がなくなれば、表示を消す。
【００５１】
本実施例によれば、中央監視装置にて空調必要度モデルの学習に使用する大量のデータを記録して処理することが可能になり、データの学習対象期間などモデル構築の自由度が増す。また、通常のビル管理システムで用いられる監視制御機能と併せて、一括して空調機の運用状況を管理することが可能となり、管理効率が向上する。
【００５２】
図８に本発明の第３の実施例となる空調制御システムを示す。センタサーバ８００がファイアウォール８１０，ルータ８２０を介してインターネット８３０に接続している。またＢＡネットワーク６１０も、ゲートウェイ８５０，ファイアウォール８６０，ルータ
８７０を介してインターネット８３０に接続しており、センタサーバ８００とＢＡネットワーク６１０とは情報を相互に送受信可能である。
【００５３】
このシステムでは、図３の空調制御方法をセンタサーバ８００が実行する。各時点の空調必要度推測・制御内容決定をセンタサーバ８００で行い、ＢＡネットワーク６１０へ制御実施指令・制御内容表示指令を送る。空調機監視制御の処理内容は、基本的に実施例２と同じであるが、センタサーバ８００は複数ビルの複数制御対象区域を扱う点が異なる。空調必要度学習のための周期的なデータ取得や、空調必要度モデルの更新，各時点における空調必要度計算とそれに基づく制御判断および制御実施は、センタサーバ８００に登録された制御対象区域に対して順に実施する。空調必要度計算の度に環境計測値の現在値をＢＡネットワーク６１０から取得する処理能力のない場合には、ＤＢに記録された前回取得値を利用すればよい。外気温度には、各ビルで計測した値ではなく、インターネット
８３０上の外部サーバで提供される値を利用しても良い。
【００５４】
図３の空調制御処理のいくつかを、センタサーバ８００でなくビル側で行うことで、負荷分散やシステム安定性向上を図ることもできる。例えば、空調必要度モデルの更新はセンタサーバ８００で行い、パラメタをフィールドコントローラ６２０に送信し、各時点の空調必要度推測および制御内容決定はフィールドコントローラ６２０で行う。
【００５５】
空調機運用状態の表示は、センタサーバ８００が持つＷｅｂサーバ機能によりＨＴＭＬ（Hyper Text Markup Language）画面として提供する。空調機状態表示領域５１０や図７のような表示が可能であり、その他の表示例を図９に示す。属性表示９００には、ユーザ画面上で選択した表示対象日付が、凡例９９０には選択した表示対象物件(制御対象区域)の名称が表示されている。表示対象物件として、異なるビルの制御対象区域を選択することができる。空調必要度比較グラフ９１０には、選択した制御対象区域ごとに、空調機間の平均空調必要度が、１日の時系列で表示されている。原単位比較グラフ９５０には、選択した制御対象区域ごとに、日平均空調必要度に対する空調エネルギー消費量（ここでは電力消費量）が表示されている。いずれのグラフでも、物件間の比較が可能になっている。
【００５６】
本実施例によれば、センタサーバにて複数ビルの複数制御対象区域を一括して扱うことができ、コストダウンや管理効率向上を図ることができる。運用状況を見ながらの設定変更や、ソフトウェアの修正・機能向上にかかる手間・費用が削減される。また、センタサーバにデータが集約されるので、物件間比較や、指定条件に該当する物件の検索とその運用状況の閲覧が可能になる効果がある。
【００５７】
以上の実施例では、空調機としてパッケージエアコンのように室外機と室内機からなる機器を想定したが、セントラル型の空調設備でも実施可能であり、同様の効果を期待できる。
【００５８】
上記各実施例によれば、在室時でも無駄な空調を抑えるなど、不在時に抑制する制御より大きな省エネ効果を期待できる。空調の必要性が小さいと思われる場所・時間帯から抑制するので、利用者の利便性・快適性への影響は大幅に低減する。必要な設備としては壁などに設置されている空調機リモコンなど標準的なものを利用できるので、人感センサなど在室状態を把握するための特別な装置を用いなくても良いので、装置・システムを安価に構成できる。
【図面の簡単な説明】
【００５９】
【図１】本発明の１実施例である空調制御システムの機能ブロック図を示す。
【図２】図１の実施例のシステム構成例を示す。
【図３】実施例の空調制御方法を示すフローチャート。
【図４】空調必要度モデルの説明図。
【図５】空調機運用状態の表示例。
【図６】本発明の第２の実施例となる空調制御システムを示す。
【図７】中央監視装置での空調機運用状態表示例。
【図８】本発明の第３の実施例となる空調制御システムを示す。
【図９】センタサーバによる空調機運用状態表示例。
【符号の説明】
【００６０】
１００…設備状態取得手段、１１０…環境計測手段、１２０…設備稼働必要度学習手段、１３０…学習モデル妥当性評価手段、１４０…設備稼働必要度評価手段、１５０…制御内容決定手段、１６０…制御内容表示手段、１７０…設備制御実施手段、２１０ａ〜210n…空調室内機、２２０…空調室外機、２３０…冷媒管、２４０…空調制御ネットワーク、２５０ａ〜２５０ｍ…空調機リモコン、２６０…空調機コントローラ、５００…空調機リモコンの表示・操作面、５１０…空調機状態表示領域、５２０…オン・オフ表示ボタン、
５３０…空調必要度表示、５４０…省エネ制御実施表示、６００…中央監視装置、６１０…ＢＡネットワーク、６２０…フィールドコントローラ、７００…属性表示、７１０…空調機状態履歴表示、７２０…制御・操作履歴表示、７３０…空調必要度履歴グラフ、750，９９０…凡例、８００…センタサーバ、８１０，８６０…ファイアウォール、８２０，
８７０…ルータ、８３０…インターネット、８５０…ゲートウェイ、９００…属性表示、９１０…空調必要度比較グラフ、９５０…原単位比較グラフ。
【図１】
0004661640.tif 000005
【図２】
0004661640.tif 000006
【図３】
0004661640.tif 000007
【図４】
0004661640.tif 000008
【図５】
0004661640.tif 000009
【図６】
0004661640.tif 000010
【図７】
0004661640.tif 000011
【図８】
0004661640.tif 000012
【図９】
0004661640.tif 000013